(57)【要約】【課題】  前後方向の重心の位置に支障を与えることなく、ウエイトの数を減らして、本体内部の中空部をできるだけ広くして中空部の空気の量を増やして本体の姿勢を安定させやすくして操作性の向上を図る。【解決手段】  前端側に釣糸が結束される中空部を有した本体１０と、本体１０の内部に設けられるウエイト２０と、本体１０に対して固定される固定部３１及び固定部３１に連設して設けられ本体１０の外部に露出するとともに釣針が係止される係止部３２を有したフック３０とを備え、フック３０の固定部３１をウエイト２０に埋設した。【選択図】  図１
2005261386.tif 000002
【特許請求の範囲】
【請求項１】
前端側に釣糸が結束され中空部を有した本体と、該本体の内部に設けられるウエイトと、上記本体に対して固定される固定部及び該固定部に連設して設けられ上記本体の外部に露出するとともに釣針が係止される係止部を有したフックとを備えたルアーにおいて、
上記フックの固定部を上記ウエイトに埋設したことを特徴とするルアー。
【請求項２】
上記ウエイトを鉛で構成したことを特徴とする請求項１記載のルアー。
【請求項３】
上記フックの係止部をリング状に形成し、
上記ウエイトを、係止部の直径より大きい直径を有した円柱状に形成し、
該フックの固定部を上記係止部の軸線とウエイトの軸線とが直交するように上記ウエイトに埋設したことを特徴とする請求項１または２記載のルアー。
【発明の詳細な説明】
【技術分野】
【０００１】
本発明は、釣りに用いられるルアーに関する。
【背景技術】
【０００２】
従来、この種のルアーとしては、例えば、特許文献１（実登３０８２３９５号公報）に記載されたものが知られている。
【０００３】
図４に示すように、このルアーＬａは、前端側に釣糸が結束され中空部１ａを有した本体１と、本体１の内部に設けられるウエイト２と、本体１に対して固定される固定部４及び固定部４に連設して設けられ本体１の外部に露出するとともに釣針が係止される係止部５を有したフック３とを備えている。
本体１は、疑似魚状に形成されている。本体１内部の中空部１ａには、空気が入っている。
ウエイト２は、本体１において、小魚のえらの位置（ａ），フック３の固定部４よりも上の背中部の位置（ｂ）及びフック３の固定部４の後側の位置（ｃ）のそれぞれに設けたウエイト固定部６に夫々係合されて設けられている。このウエイト２は、リーリング時に本体１に作用する浮力に抗し、ルアーＬａが水中に留まるように設けられる。また、小魚のえらの位置（ａ）及び固定部４の後側の位置（ｃ）に設けられるウエイト２により、ルアーＬａの重心は、ルアーＬａの前後方向においてフック３の位置に位置させられる。また、フック３の固定部４よりも上の背中部の位置（ｂ）に設けられるウエイト２により、ルアーＬａの全体の重心は、このフック３の固定部４よりも上の背中部の位置（ｂ）に位置させられる。
【０００４】
フック３は、本体１下部に設けられる埋設部７に固定部４を埋設して設けられている。
また、本体の後端部には、釣針を係止するための別のフック８が設けられている。
このルアーＬａを用いて釣りを行なう際、ルアーＬａのキャスティング時には、ウエイト２の重さにより遠投性及びコントロール性が向上させられる。リーリング時には、ウエイト２の重さにより、ルアーＬａが水中に留まるようになる。
【０００５】
【特許文献１】実登３０８２３９５号公報
【発明の開示】
【発明が解決しようとする課題】
【０００６】
ところで、このようなルアーＬａにあっては、小魚のえらの位置（ａ）及び固定部４の後側の位置（ｃ）の２個のウエイト２によりルアーＬａの重心の前後方向の位置が調整されているが、この２個のウエイト２及びこれらが設けられる夫々のウエイト固定部６により、本体１内部の中空部１ａが狭められ、この中空部１ａに入る空気の量が小さくなるので、それだけ、本体１の姿勢が安定しにくく、ルアーＬａの操作性が悪くなるという問題がある。
【０００７】
本発明は上記の問題点に鑑みて為されたもので、前後方向の重心の位置に支障を与えることなく、ウエイトの数を減らして、本体内部の中空部をできるだけ広くして中空部の空気の量を増やして本体の姿勢を安定させやすくして操作性を向上させたルアーを提供することを目的とする。
【課題を解決するための手段】
【０００８】
このような目的を達成するための本発明のルアーは、前端側に釣糸が結束される中空部を有した本体と、該本体の内部に設けられるウエイトと、上記本体に対して固定される固定部及び該固定部に連設して設けられ上記本体の外部に露出するとともに釣針が係止される係止部を有したフックとを備えたルアーにおいて、上記フックの固定部を上記ウエイトに埋設している。
【０００９】
フックの固定部をウエイトに埋設したので、ウエイトの収納部をフックの固定カ所に設けることができ、そのため、従来のようにフックの固定部の左右にウエイトを設けたものに比較して、中空部を広くすることができる。また、重心はフックのある位置に位置させることができるようになり、支障はない。即ち、固定部がウエイトに埋設されてウエイトとフックが一体に形成されているので、このウエイトが収納されて固定される固定部分と、フックの固定される固定部分とが１つになり、ウエイトとフックとを別々にした場合と比較して、本体内部の中空部が広くなる。そのため、この中空部が広くなった分、中空部に入る空気の量が増えて、本体の姿勢を安定させやすくすることができるようになり、ルアーの操作性が向上させられる。
このルアーを用いて釣りをするときは、釣竿を操作してルアーをキャスティングする。その後、ルアーが着水し水中に潜っていく。そして、このルアーを、水中の所望の深さに潜らせた後に、釣竿の操作によりリーリングして、このルアーを泳がせる。
【００１０】
また、必要に応じ、上記ウエイトを鉛で構成している。
ウエイトが鉛なので、ウエイトを容易に成形でき、また、フックの固定部を容易に埋設できるようになる。そのため、このルアーの製造が容易になる。
【００１１】
更に、必要に応じ、上記フックの係止部をリング状に形成し、上記ウエイトを、係止部の直径より大きい直径を有した円柱状に形成し、該フックの基端部を上記係止部の軸線投影との軸線とが直交するように上記ウエイトに埋設している。
魚がルアーに食いついて、フックに係止される釣針にかかった場合、フックの固定部がウエイトに埋設されているので、ウエイトがフックにかかる魚の荷重を受ける。この際、ウエイトは係止部より大きい直径を有した円柱状に形成されているので、フックの荷重の受けが確実になり、フックの本体からの抜け止めが確実に行なわれる。そのため、魚を確実に釣り上げられるようになる。また、フックの固定部は、係止部の軸線とウエイトの軸線とが直交するように、ウエイトに埋設されているので、このウエイトがフックにかかる魚の荷重をバランス良く受けるので、フックの抜け止めが確実に行なわれる。そのため、確実に魚を釣り上げられるようになる。
【発明の効果】
【００１２】
本発明のルアーによれば、フックの固定部をウエイトに埋設したので、ルアーの重心の位置が１個のウエイトでフックの位置に調整でき、ウエイトを収納する部分とフックの固定カ所とを一つにできる。そのため、中空部を広くすることができ、中空部の空気の量が増えて本体の姿勢が安定させられるようにでき、ルアーの操作性を向上させることができる。
【発明を実施するための最良の形態】
【００１３】
以下、添付図面に基づいて、本発明の実施の形態に係るルアーについて詳細に説明する。
【００１４】
図１乃至図３には、本発明の実施の形態に係るルアーＬを示している。このルアーＬは、前端側に釣糸が結束される中空部１１を有した本体１０と、この本体１０の内部に設けられるウエイト２０と、本体１０に対して固定される固定部３１及びこの固定部３１に連設して設けられ本体１０の外部に露出するとともに釣針が係止される係止部３２を有した第１フック３０とを備えてなる。
【００１５】
本体１０は、樹脂により形成されるとともに、その外形が疑似魚状に形成されている。本体１０の中空部１１には、空気が入れられている。また、この本体１０は、長手方向に沿って分割形成した一対の分割体１０ａ，１０ｂを互いに接合して形成されている。本体１０の分割体１０ａ，１０ｂは、略左右対称に形成され、接合面１２を、例えば、接着剤により接着して接合されている。また、この本体１０は、その重心が第１フック３０のある位置にくるように形成されている。
【００１６】
また、この本体１０の前端部１４には、釣竿から延びる釣糸を結束するための釣糸結束部１３が設けられている。この釣糸結束部１３は、両側に孔を有した８字状のリング部材１５で構成されている。このリング部材１５は、そのいずれか一方側１６が本体１０の前端部１４に埋設されて本体１０に設けられるとともに、いずれか他方側１７が本体１０の外部に露出している。リング部材１５の他方側１７の孔には、釣糸（図示せず）が結束される。
また、このリング部材１５の一方側１６は、分割体１０ａ，１０ｂの接合前に、本体１０の前端部１４に設けられる嵌合部１４ａに嵌合させられ、分割体１０ａ，１０ｂの接合とともに本体１０に埋設される。
【００１７】
ウエイト２０は、鉛で形成されるとともに後述の第１フック３０の係止部３２のリングよりも大きい直径を有した円柱状に形成されている。また、ウエイト２０は、本体１０の下部に設けられる収納部２１に埋設されて本体１０に設けられている。このウエイト２０は、分割体１０ａ，１０ｂの接合前に、本体１０の中央下側に設けられる収納部２１に係合し、分割体１０ａ，１０ｂの接合とともに埋設される。
【００１８】
第１フック３０は、その係止部３２がリング状に形成され、固定部３１は、係止部３２のリングの軸線Ｘ１とウエイト２０の軸線Ｘ２とが直交するようにウエイト２０に埋設されている。
また、第１フック３０の固定部３１は、ウエイト２０に埋設されているので、この第１フック３０の位置に、ルアーＬの重心が位置させられる。
第１フック３０の係止部３２は、本体１０の収納部２１から外部に連通する連通孔３３を通過させられて本体１０の外部に露出させられる。
【００１９】
更に、本体１０の後端部１８には、釣針が係止される第２フック３５が設けられている。この第２フック３５は、釣糸結束部１３に用いられるリング部材１５と同様のリング部材３６で構成されている。このリング部材３６は、一方側３７が本体１０の後端部１８に埋設されるとともに、他方側３８が本体１０の外部に露出させられ、この他方側３８の孔に、釣針（図示せず）が係止される。
リング部材３６の一方側３７は、分割体１０ａ，１０ｂの接合前に、本体１０の後端部１８に設けられる嵌合部１８ａに嵌合させられ、分割体１０ａ，１０ｂの接合とともに本体１０に埋設される。
【００２０】
このルアーＬを製造する際には、例えば、以下のようにして行なう。
まず、予め、円柱状に形成した鉛に第１フック３０の固定部３１をウエイト２０に、埋設しておく。それから、このウエイト２０を、一対の分割体１０ａ，１０ｂのうちいずれか一方の分割体（実施の形態では１０ａ）の収納部２１にウエイト２０を係合する。次に、この分割体１０ａの嵌合部１４ａにリング部材１５の一方側１６を、嵌合部１８ａにリング部材３６の一方側３７を夫々嵌合する。そして、各分割体１０ａ，１０ｂの接合面１２に接着剤を塗布し、いずれか他方の分割体１０ｂを一方の分割体１０ａに合わせて本体１０を形成する。
【００２１】
この場合、ウエイト２０が鉛なので、ウエイト２０を容易に成形でき、また、第１フック３０の固定部３１を容易に埋設できるようになる。そのため、ルアーＬの製造が容易になる。
従って、このルアーＬによれば、第１フック３０の固定部３１をウエイト２０に埋設したので、ウエイト２０の収納部２１を第１フック３０の固定カ所に設けることができ、そのため、従来のように第１フック３０の固定部３１の左右にウエイト２０を設けたものに比較して、中空部１１を広くすることができる。また、重心は第１フック３０のある位置に位置させることができるようになり、支障はない。
【００２２】
次に、このルアーＬを用いて釣りをするときは以下のようにする。まず、第１フック３０及び第２フック３５に釣針（図示せず）を係止したルアーＬの釣糸結束部１３に、釣竿から延びる釣糸（図示せず）を結束する。
次に、釣竿を操作してルアーＬをキャスティングする。
この際、ルアーＬがウエイト２０の重さで、飛行が安定する。
【００２３】
その後、ルアーＬが着水し水中に潜っていく。このルアーＬを、水中の所望の深さに潜らせた後に、釣竿の操作によりリーリングして、このルアーＬを泳がせる。
この際、ルアーＬは、１個のウエイト２０によりその重心が第１フック３０の位置に位置するように調整されているので、２個のウエイトでルアー前後の重心を調整したものに比較して、このウエイト２０の収納部２１及び第１フック３０の固定部３１が埋設される部位（従来の埋設部７に相当）が１つになり、本体１０内部の中空部１１が広くなり中空部１１の空気の量が増えて本体１０の姿勢が安定させられるようになり、ルアーＬの操作性が向上させられる。
【００２４】
そして、リーリング中に、魚がルアーＬに食いついて、第１フック３０に係止される釣針にかかった場合、フック３０の固定部３１がウエイト２０に埋設されているので、ウエイト２０が第１フック３０にかかる魚の荷重を受ける。この際、ウエイト２０は第１フック３０の係止部３２より大きい直径を有した円柱状に形成されているので、第１フック３０の荷重の受けが確実になり、第１フック３０の本体１０からの抜け止めが確実に行なわれる。そのため、魚を確実に釣り上げられるようになる。
【００２５】
また、第１フック３０の固定部３１は、係止部３２のリングの軸線Ｘ１とウエイト２０の軸線Ｘ２とが直交するように、ウエイト２０に埋設されているので、このウエイト２０が第１フック３０にかかる魚の荷重をバランス良く受けるので、第１フック３０の抜け止めが確実に行なわれる。そのため、確実に魚を釣り上げられるようになる。
【図面の簡単な説明】
【００２６】
【図１】本発明の実施の形態に係るルアーを示す分解斜視図である。
【図２】本発明の実施の形態に係るルアーを示す縦断面図である。
【図３】本発明の実施の形態に係るルアーを示す横断面図である。
【図４】従来のルアーの一例を示す図である。
【符号の説明】
【００２７】
Ｌ  ルアー
Ｘ１  フックの係止部の軸線
Ｘ２  ウエイトの軸線
１０  本体
１０ａ，１０ｂ  分割体
１１  中空部
１２  接合面
１３  釣糸結束部
１４  前端部
１４ａ  嵌合部
１５，３６  リング部材
１６，３７  リング部材の一方側
１７，３８  リング部材の他方側
１８  後端部
１８ａ  嵌合部
２０  ウエイト
２１  収納部
３０  第１フック
３１  固定部
３２  係止部
３３  連通孔
３５  第２フック
【図１】
2005261386.tif 000003
【図２】
2005261386.tif 000004
【図３】
2005261386.tif 000005
【図４】
2005261386.tif 000006